(57)【要約】【課題】不正入賞行為を効果的に防止することが可能な弾球遊技機を提供する。【解決手段】弾球遊技機は、発射機構により打ち出されて遊技領域へ到達できずに戻ってくる遊技球を回収して下球皿へ流下させる上側ファール球通路２４０が設けられたファール球回収機構２００を備え、上側ファール球通路２４０の途中に、下球皿へ流下させる方向への遊技球Ｂの通過を許容する一方で、当該流下させる方向とは逆方向への遊技球Ｂの通過を規制する逆止弁２５０を設けて構成される。【選択図】図２８
2018011715.tif 000002
【特許請求の範囲】
【請求項１】
遊技領域が形成された遊技盤と、
前記遊技盤を保持する枠部材と、
前記枠部材に開閉自在に設けられた開閉部材と、
前記開閉部材に設けられて遊技球を貯留する球皿と、
前記枠部材に設けられて遊技球を前記遊技領域へ向けて打ち出す発射装置と、
前記枠部材に設けられて前記遊技領域へ到達できずに戻ってくる遊技球を回収して前記球皿へ流下させるファール球通路が設けられたファール球回収部とを備え、
前記ファール球通路に、前記球皿へ流下させる方向への遊技球の通過を許容する一方で、当該流下させる方向とは逆方向への遊技球の通過を規制する逆止弁を設けて構成したことを特徴とする弾球遊技機。
【発明の詳細な説明】
【技術分野】
【０００１】
本発明は、ぱちんこ遊技機等の弾球遊技機に関する。
【背景技術】
【０００２】
弾球遊技機の代表例であるぱちんこ遊技機は、所定の遊技領域が設けられた遊技盤を立設姿勢で保持する枠部材に、各種の制御基板が装着された裏機構盤が取り付けられて構成され、遊技者の発射操作を受け付ける発射ハンドルの操作量に応じた発射強度で遊技球を遊技領域へ打ち出して、その遊技球を遊技領域内で流下させる過程において、始動口や一般入賞口といった各種の入賞口に遊技球を入球させる遊技を行うように構成されている。
【０００３】
遊技球が各種の入賞口に入球した場合には該入賞口の種類に対応した個数の賞球が払い出されるとともに、その入賞口が始動口である場合には、遊技球が始動口に入球したことを契機として当否抽選を実行し、該当否抽選の結果がはずれである場合には複数列からなる装飾図柄を変動表示させた後に該装飾図柄を予め定められた非当選態様で停止表示させる一方、該当否判定の結果が大当りである場合には複数列からなる装飾図柄を変動表示させた後に該装飾図柄を予め定められた当選態様で停止表示して、通常時には閉状態である大入賞口を開状態とする特別遊技（大当り遊技）を成立させるように構成されている（例えば、特許文献１を参照）。
【先行技術文献】
【特許文献】
【０００４】
【特許文献１】特開２００６−２７１７５６号公報
【発明の概要】
【発明が解決しようとする課題】
【０００５】
上記ぱちんこ遊技機には、一般的に、遊技球が入賞口に入球したことを検出する入賞検出器が設けられており、該入賞検出器にて遊技球の入球が検出されたことを契機として、所定数の賞球の払い出しや、当否抽選等が適時実行されるようになっている。しかしながら、近年においては、釣糸やピアノ線等の線材を付けた遊技球を入賞口に入球させて、この遊技球を不正に操作することで（不正行為者が機外から線材を手前側に引っ張ったり奥側へ送り込んだりすることで）、該遊技球を入賞検出器に何度も繰り返し検出させて、遊技球の連続入賞を成立させる不正入賞行為が頻発しており、その被害（損害）が大きな問題となっている。そのため、遊技機メーカ各社においても、このような不正入賞行為を効果的に防止する対策を講じることが求められている。
【０００６】
本発明は、このような課題に鑑みてなされたものであり、不正入賞行為を効果的に防止することが可能な弾球遊技機を提供することを目的とする。
【課題を解決するための手段】
【０００７】
このような目的達成のために、本発明に係る弾球遊技機は、遊技領域が形成された遊技盤と、前記遊技盤を保持する枠部材と、前記枠部材に開閉自在に設けられた開閉部材と、前記開閉部材に設けられて遊技球を貯留する球皿と、前記枠部材に設けられて遊技球を前記遊技領域へ向けて打ち出す発射装置と、前記枠部材に設けられて前記遊技領域へ到達できずに戻ってくる遊技球を回収して前記球皿へ流下させるファール球通路が設けられたファール球回収部とを備え、前記ファール球通路に、前記球皿へ流下させる方向への遊技球の通過を許容する一方で、当該流下させる方向とは逆方向への遊技球の通過を規制する逆止弁を設けて構成したことを特徴とする。
【発明の効果】
【０００８】
本発明によれば、不正入賞行為を効果的に防止することが可能である。
【図面の簡単な説明】
【０００９】
【図１】本実施形態に係るぱちんこ遊技機の正面図である。
【図２】上記ぱちんこ遊技機を後方から見た斜視図である。
【図３】上記ぱちんこ遊技機からガラス枠を取り外した状態を示す正面図である。
【図４】上記ぱちんこ遊技機の電気的な構成を示すブロック図である。
【図５】遊技補助盤を前方から見た斜視図である。
【図６】遊技補助盤の正面図である。
【図７】図６における矢印VII−VIIに沿って示す断面図である。
【図８】図６における矢印VIII−VIIIに沿って示す断面図である。
【図９】球送り機構及び発射機構を前方から見た斜視図である。
【図１０】球送り機構及び発射機構を後方から見た斜視図である。
【図１１】球送り機構の分解斜視図である。
【図１２】ファール球回収機構を前方から見た斜視図である。
【図１３】ファール球回収機構を後方（右側寄り）から見た斜視図である。
【図１４】ファール球回収機構を後方（左側寄り）から見た斜視図である。
【図１５】ファール球回収機構の平面図である。
【図１６】ファール球回収機構及び発射機構を後方から見た斜視図である。
【図１７】ファール球回収機構の背面図である。
【図１８】逆止弁の斜視図である。
【図１９】切断部材の斜視図である。
【図２０】内レールの斜視図である。
【図２１】内レールの要部を示す分解斜視図である。
【図２２】内レールの要部を示す側面図である。
【図２３】図２２における矢印XXIII−XXIIIに沿って示す断面図である。
【図２４】図２２における矢印XXIV−XXIVに沿って示す断面図である。
【図２５】（Ａ）は内レール本体の正面図、（Ｂ）は内レール本体の背面図である。
【図２６】（Ａ）は押さえ部材の正面図、（Ｂ）は押さえ部材の背面図である。
【図２７】内レールの作用を説明するための正面図である。
【図２８】ファール球回収機構の作用を説明するための背面図である。
【図２９】ファール球回収機構の他の作用を説明するための背面図である。
【図３０】第１変形例に係るぱちんこ遊技機からガラス枠を取り外した状態を示す正面図である。
【図３１】第１変形例に係る内レールの斜視図である。
【図３２】第１変形例に係る内レールの分解斜視図である。
【図３３】第１変形例に係る内レールの要部を示す分解斜視図である。
【図３４】第１変形例に係る内レールの要部を示す側面図である。
【図３５】図３４における矢印XXXV−XXXXVに沿って示す断面図である。
【図３６】図３４における矢印XXXVI−XXXVIに沿って示す断面図である。
【図３７】第２変形例に係るファール球回収機構を後方から見た斜視図である。
【図３８】第２変形例に係る逆止弁の斜視図である。
【図３９】第３変形例に係る球送り機構及び発射機構を後方から見た斜視図である。
【発明を実施するための形態】
【００１０】
以下、本発明の好ましい実施形態について図面を参照して説明する。本発明に係る弾球遊技機の代表例として、ぱちんこ遊技機ＰＭを図１〜図３に示しており、まず、この図を参照してぱちんこ遊技機ＰＭの全体構成について説明する。なお、以降の説明においては
、便宜上、図２の各矢印で示す方向をそれぞれ、前後方向、左右方向、上下方向と称して説明する。
【００１１】
［遊技機の全体構成］
始めに、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２の前面側には、遊技盤２０が着脱可能にセット保持され、常には閉鎖保持されるガラス枠５の複層ガラス５ａを通して遊技盤２０の正面の遊技領域ＰＡを視認可能に臨ませるようになっている。
【００１３】
遊技盤２０は、例えばアクリル樹脂やポリカーボネート樹脂、ＡＢＳ樹脂等の合成樹脂材料を用いて矩形平板状に形成された基板をベースとして構成されている。遊技盤２０の前面には、図３に示すように、左下部から右上部にかけて配設された円弧状の外レール２１と、外レール２１の内側において左下部から左上部にかけて配設された円弧状の内レール２２と、外レール２１の右上部から該盤面の下部までの間に配設されて左向きに開く湾曲形状に形成されたレール飾り２３とを備えており、外レール２１と内レール２２とレール飾り２３とで囲まれた内側に略円形の遊技領域ＰＡが区画形成されている。また、外レール２１と内レール２２とにより、後述の発射機構１５０により打ち出された遊技球を遊技領域ＰＡへ案内するための案内通路２４が形成される。この案内通路２４における遊技球の出口開口の近傍位置、すなわち、内レール２２の先端部に、案内通路２４を通って出口開口から遊技領域ＰＡ内へ放出された遊技球が再び案内通路２４へ逆戻りするのを防止する球戻り防止弁２５が配設されている。
【００１４】
遊技領域ＰＡには、図３では詳細な図示を省略しているが、多数本の遊技釘や風車等とともに、第１始動口、第２始動口、作動ゲート、大入賞口、一般入賞口等の各種入賞口の他、第１特別図柄表示装置、第２特別図柄表示装置、普通図柄表示装置、演出表示装置等の各種表示装置などが配設されている。遊技領域ＰＡの略中央にはセンター役物２６が配設されており、このセンター役物２６の中央開口を通して演出表示装置２７の画面が視認可能に設けられている。遊技領域ＰＡの下端には、各種入賞口に入球せずに流下した遊技球が通過可能なアウト口２９が設けられている。
【００１５】
ガラス枠５の下部には、遊技球を貯留する上下の球皿（上球皿６及び下球皿７）が設けられる。ガラス枠５の上部には、遊技の展開状況に応じて発光する演出ランプ１１や、遊技の展開状況に応じて効果音を発生させるスピーカ８が設けられている。ここで、下球皿７は、ガラス枠５の左右の中心に対して左側に寄って配置されている。これにより、下球皿７の正面右側には空きスペースが形成され、その部分に所定の演出操作を行うためのボタンやスイッチ、ダイヤル等の演出操作手段１２などが取り付けられる。
【００１６】
前枠２の右下部には、遊技球の発射操作を行う発射ハンドル９が設けられている。前枠２の下部には、図３に示すように、ガラス枠５の背後において遊技盤２０と上下に整合し得る位置に遊技補助盤（４０）と称される補助機構部が形成されており、この遊技補助盤４０の各部に、上球皿６に貯留された遊技球を１球ずつ送り出す球送り機構１００（図５等を参照）、球送り機構１００から送り出された遊技球を遊技領域ＰＡへ向けて打ち出す
発射機構１５０、球送り機構１００及び発射機構１５０の作動を制御する発射制御基板１８０などが設けられている。
【００１７】
続いて、ぱちんこ遊技機ＰＭの背面側の基本構造を説明する。前枠２の背面側には、図２に示すように、中央に前後連通する窓口を有して前枠２よりも幾分小型の矩形枠状に形成された裏セット盤３０が取り付けられている。裏セット盤３０の各部には、遊技施設側から供給される多数個の遊技球を貯留する貯留タンク３３、貯留タンク３３からの遊技球を流下させる樋部材３４、樋部材３４により導かれた遊技球を払い出す賞球払出ユニット３５、賞球払出ユニット３５から払い出された遊技球を上球皿６又は下球皿７へ流下させる裏側通路部材３６などが設けられている。
【００１８】
遊技盤２０の背面側には、ぱちんこ遊技機ＰＭの作動を統括的に制御する主制御基板５１や、演出全般の制御を行う演出制御基板５２（図４を参照）、遊技展開に応じた画像表示、効果音の制御を行う画像制御基板５３（図４を参照）などが取り付けられている。なお、本実施形態では、演出制御基板５２および画像制御基板５３は、演出表示装置（液晶表示装置）２７と一体化されたアッセンブリ状態で液晶ユニット２８を構成している。これに対して、裏セット盤３０の背面側には、遊技球の払い出しに関する制御を行う払出制御基板５４や、遊技施設側から受電して各種制御基板や電気・電子部品に電力を供給する電源基板（図示せず）などが取り付けられている。なお、これらの制御基板は、不正改造防止のため、カシメ構造及び封印シール構造を有する透明樹脂製の基板ケースに収容されたアッセンブリ状態で遊技盤２０背面又は裏セット盤３０背面の所定位置にそれぞれ配設される。これらの制御基板とぱちんこ遊技機ＰＭ各部の電気・電子部品とがハーネス（コネクタケーブル）を介して相互に接続されて、ぱちんこ遊技機ＰＭが作動可能に構成されている。
【００１９】
続いて、図４は、ぱちんこ遊技機ＰＭの電気的な概略構成を示すブロック図である。前述したように、ぱちんこ遊技機ＰＭには、主制御基板５１、演出制御基板５２、画像制御基板５３、払出制御基板５４、発射制御基板１８０などが搭載されている。
【００２０】
主制御基板５１は、上記第１始動口への遊技球の入球を検出する第１始動口スイッチ６１、上記第２始動口への遊技球の入球を検出する第２始動口スイッチ６２、上記作動ゲートへの遊技球の通過を検出する作動ゲートスイッチ６３、上記大入賞口への遊技球の入球を検出する大入賞口スイッチ６４、上記一般入賞口への遊技球の入球を検出する一般入賞口スイッチ６５等と電気的に接続されている。また、主制御基板５１と演出制御基板５２との間は、８本のパラレル信号線および１本のストローブ線で接続されており、主制御基板５１から演出制御基板５２へと向かう単一方向のみで通信可能に接続され、主制御基板５１から演出制御基板５２へ各種の演出制御コマンドが送信される。また、主制御基板５１は、払出制御基板５４と電気的に接続され、払出制御基板５４との間で双方向通信が可能となっている。また、主制御基板５１は、発射制御基板１８０と電気的に接続され、主制御基板５１から発射制御基板１８０へ一方向通信が可能となっている。
【００２１】
演出制御基板５２は、画像制御基板５３と双方向通信が可能となるように接続されており、画像制御基板５３に対して画像および音響を指示する画像制御コマンドを送信する。また、演出制御基板５２は、演出ランプ１１及び演出操作手段１２等と電気的に接続されており、演出ランプ１１を制御するためのランプ制御信号（ランプデータ）を送信するとともに、遊技者の操作に応じて演出操作手段１２からの操作入力信号を受信する。
【００２２】
画像制御基板５３は、演出表示装置２７及びスピーカ８等と電気的に接続されており、演出制御基板５２からの指示（画像制御コマンド）に応じて画像ＲＯＭに記憶された画像データを読み込み、これを画像処理して生成した画像データを演出表示装置２７に送信す
るとともに、演出制御基板５２からの指示（画像制御コマンド）に応じて音声ＲＯＭに記憶された音響データを読み込み、これを合成処理して生成した音響データを増幅器（デジタルアンプ）を介してスピーカ８に送信する。また、画像制御基板５３は、演出制御基板５２からの画像制御コマンドに対する応答として、この画像制御コマンドを正常に受信できた旨を示す応答コマンド（ＡＣＫコマンド）を演出制御基板５２へ送信する。
【００２３】
払出制御基板５４は、賞球払出ユニット３５及び貸球操作装置（図示せず）等と電気的に接続されており、主制御基板５１からの払出制御コマンドに基づき、或いは、貸球操作装置からの操作信号に基づき、賞球払出ユニット３５を作動させて、遊技球を上球皿６又は下球皿７に払い出す制御を実行する。
【００２４】
発射制御基板１８０は、発射ハンドル９、球送り機構１００、発射機構１５０等と電気的に接続されており、発射ハンドル９からの操作信号に基づき、球送り機構１００と発射機構１５０とを同期的に作動させて、遊技球を発射する制御を実行する。このとき、主制御基板５１では、発射制御基板１８０との通信異常又は断線短絡電源異常が検出されていない場合、発射制御基板１８０に対して発射許可の信号を出力し、遊技球の発射を許可する。他方、発射制御基板１８０との通信異常又は断線短絡電源異常が検出されている場合、発射制御基板１８０に対して発射禁止の信号を出力し、遊技球の発射を禁止する。
【００２５】
以上のように構成される、ぱちんこ遊技機ＰＭは、外枠１が遊技施設の遊技島に固定設置され、前枠２、ガラス枠５等が閉鎖施錠された状態で遊技に供され、遊技球を上球皿６に貯留させて発射ハンドル９を回動操作することにより遊技が開始される。発射ハンドル９が回動操作されると、上球皿６に貯留された遊技球が、球送り機構１００によって１球ずつ発射機構１５０に送り出され、該発射機構１５０により遊技領域ＰＡに向けて打ち出される。
【００２６】
遊技領域ＰＡを転動流下する遊技球が、第１始動口、第２始動口、大入賞口、一般入賞口のいずれかに入球すると、その入賞口の種別に応じた賞球が賞球払出ユニット３５により上球皿６又は下球皿７に払い出される。本例では、第１始動口又は第２始動口に入賞した場合の賞球数は「３個」、大入賞口に入賞した場合の賞球数は「１５個」、一般入賞口に入賞した場合の賞球数は「１０個」である。また、遊技球が第１始動口又は第２始動口に入球すると、特別図柄遊技の抽選乱数値が取得され、当該乱数値を所定の上限個数まで特別図柄の保留球として一時記憶する。そして、所定の始動条件（変動開始条件）が成立する場合、最先の保留球に係る抽選乱数値に対して特別図柄の当否判定、図柄判定、変動パターン判定を行い、この判定結果に応じた態様で、第１特別図柄表示装置又は第２特別図柄表示装置において特別図柄が変動表示されるとともに、演出表示装置２７において装飾図柄が変動表示される。特別図柄および装飾図柄の変動表示は、前記選択された変動パターンに応じた変動時間の経過後に同期的に停止表示される。
【００２７】
第１特別図柄又は第２特別図柄が大当りを示す停止態様で確定表示された場合、特別遊技に移行し、大入賞口の開閉動作が開始される。大当りを示す装飾図柄の停止態様は、例えば３つの図柄の種類が一致する態様である。本実施形態では、特別遊技（大当り遊技）として、当選した大当り種別（大当り図柄）に応じて、規定ラウンド数の異なる複数種の特別遊技のうちの何れかが展開される。特別遊技は、大入賞口（特別電動役物）の１又は複数回の開閉動作を１回のラウンド遊技とし、当該ラウンド遊技を規定ラウンド数（例えば１６Ｒ，８Ｒ，２Ｒ）だけ連続して実行するものである。
【００２８】
かかる構成のぱちんこ遊技機ＰＭにおいて、正常な遊技では、原則として各種入賞口への遊技球１球の入球につき１回の入賞が検出されるものであるが、近年においては、各種入賞口へ入球した遊技球を不正に操作することで連続入賞を検出させる不正入賞行為（俗
に「糸吊りゴト」と称される）が頻発している。この代表的な手口を概説すると、まず、釣糸などの線材の一端側に遊技球を固着し、この線材の他端側を不正行為者自身が手で掴み、このような細工を施した遊技球（「不正球」とも称する）を発射機構１５０により遊技領域ＰＡへ打ち出す。この不正球が遊技領域ＰＡまで達すると、線材を操作して或いは外部から強力な磁石などを用いて不正球を入賞口まで誘導して該入賞口に入球させる。そして、線材を手前側に引っ張ったり（引き込んだり）奥側へ送り込んだりする操作を繰り返すことで、不正球を入賞口スイッチにて何度も検出させて（典型的には不正球を通過型センサに何度も通過させて）連続入賞を獲得する。これが近年において頻発している不正球を利用した不正入賞行為の概要である。なお、最近では不正の手口が巧妙化しており、不正球を上球皿６に投入することで該不正球を球送り機構１００を介して発射機構１５０へ送り出す典型的な手口の他、不正球を下球皿７から機内の通路（ファール球通路）を逆流させて該不正球を球送り機構１００を介さずに発射機構１５０へ送り出す手口も発見されている。
【００２９】
そこで本実施形態においては、上記のような糸吊りゴトと称される不正入賞行為を防止すべく、かかる構成のぱちんこ遊技機ＰＭにあって、遊技補助盤４０および内レール２２に不正防止構造が設けられている。それでは以下において、本実施形態に係る不正防止構造として、（Ａ）遊技補助盤４０に適用された不正防止構造、及び（Ｂ）内レール２２に適用された不正防止構造について具体的に説明する。なお、図面上では、遊技球（不正球を含む）を符号「Ｂ」で表し、線材を符号「Ｌ」で表す。
【００３０】
［Ａ．遊技補助盤に適用された不正防止構造］
まず、図５〜図１９を追加参照して、遊技補助盤４０に適用された不正防止構造について説明する。
【００３１】
遊技補助盤４０には、上球皿６に貯留された遊技球を１球ずつ送り出す球送り機構１００、球送り機構１００から送り出された遊技球を遊技領域ＰＡへ向けて打ち出す発射機構１５０、球送り機構１００及び発射機構１５０の作動を制御する発射制御基板１８０、発射機構１５０により打ち出されて遊技領域ＰＡへ到達できずに戻ってきた遊技球（「ファール球」と称する）を下球皿７に回収するためのファール球回収機構２００などが設けられている。
【００３２】
＜球送り機構＞
球送り機構１００は、図９〜図１１に示すように、ガラス枠５と前後に対向する前ケース部材１１０と、発射機構１５０と前後に対向する後ケース部材１２０と、遊技球を１球ずつ発射機構１５０へ送り出す球送り部材１３０と、球送り部材１３０を揺動させる球送りソレノイド１４０とを有して構成される。
【００３３】
前ケース部材１１０及び後ケース部材１２０は、共に無色透明な樹脂材料（例えばポリカーボネート）を用いて射出成形等の成形手段により形成されている。前ケース部材１１０及び後ケース部材１２０は、それぞれの四隅に形成された係合部同士を係合させることで、箱形に組み合わされて一体化される。各ケース部材１１０，１２０の内部には、上球皿６から流下した遊技球を１球ずつ発射機構１５０へ送り出すための球送り通路１０１が形成されている。
【００３４】
前ケース部材１１０は、後ケース部材１２０の前面開口を閉止可能な板状に形成されている。前ケース部材１１０の前面には、球送り通路１０１の上流端に開口し、ガラス枠５に前後貫通して設けられた連通穴（図示せず）と連絡して上球皿６から流下する遊技球を受け入れるための球入口１１１が形成されている。また、前ケース部材１１０の前面には、球送り部材１３０に形成された揺動ストッパ１３４が挿通される長穴状の揺動規制穴１
１２が形成されている。
【００３５】
後ケース部材１２０は、前面に開口を有する矩形箱状に形成されている。後ケース部材１２０には、球送り通路１０１の底面をなす通路床部１２１が形成されている。後ケース部材１２０の内面側には、球送り通路１０１の下流端に達した遊技球を発射機構１５０の発射レール１７３上に導くための球出口１２２が形成されている。また、後ケース部材１２０の内面には、球送り部材１３０の軸部１３５と係合して該球送り部材１３０を揺動自在に支持する支持穴１２３が形成されるとともに、球送りソレノイド１４０が固定されるソレノイド取付部１２４が形成されている。また、球出口１２２の左側縁部には、ブロック状のガイド部１２５が後方に突出して形成されており、球出口１２２を通過する遊技球の側方を案内するようになっている。後ケース部材１２０の下端には、下方に突出する固定爪１２６が形成されており、発射機構１５０の外周部前方を覆う発射機構カバー（図示せず）の下部にこの固定爪１２６が係止されることで、球送り機構１００が発射カバー（発射機構１５０）に固定されるようになっている。
【００３６】
球送り部材１３０は、図１１に示すように、樹脂材料を用いて図示する形状に形成され、球受容部１３１、球送りレール部１３２及び棹部１３３を有して構成される。球送り部材１３０は、各ケース部材１１０，１２０の内部に軸部１３５を中心として揺動自在に取り付けられる。球送り部材１３０の側部には、前ケース部材１１０の揺動規制穴１１２に挿通される突起状の揺動ストッパ１３４が設けられており、この揺動ストッパ１３４が揺動規制穴１１２に沿って移動可能な範囲内で球送り部材１３０の揺動が許容される。それにより、球送り部材１３０は、球出口１２２を閉止する球出口閉止位置と、球出口１２２を開放する球出口開放位置との間で揺動可能に構成される。
【００３７】
球受容部１３１は、球出口閉止位置に揺動すると、球送り通路１０１を開通するように右方へ変位し、球送り通路１０１を流下する遊技球を１球だけ受け入れて保持する。また、球受容部１３１は、球出口開放位置に揺動すると、球送り通路１０１を閉止するように左方へ変位し、保持した遊技球を球送りレール部１３２（球出口１２２）へ向けて送るとともに、球送り通路１０１を流下する遊技球を堰き止める。
【００３８】
球送りレール部１３２は、基端部が球受容部１３１の下部に繋がるとともに、先端部が球出口１２２から後方外方へ突出して延びる板状に形成されている。球送りレール部１３２は、球出口閉止位置に揺動すると、球出口１２２を閉止するように右方に変位する。また、球送りレール部１３２は、球出口開放位置に揺動すると、球出口１２２を開放するように左方に変位し、球受容部１３１から送られた遊技球を発射機構１５０の発射レール１７３上に流下させる。なお、球送りレール部１３２の上面は、先端部（後端部）に向けて下傾するだけでなく、左側のガイド部１２５に向けても下傾しており、遊技球がガイド部１２５に沿って球送りレール部１３２上を流下するようになっている。
【００３９】
棹部１３３は、球受容部１３１の下端から下方へ延びる棒状に形成されている。棹部１３３の内部には、永久磁石１３６が取り付けられている。
【００４０】
球送りソレノイド１４０は、各ケース部材１１０，１２０の内部において棹部１３３の近傍に配設されている。球送りソレノイド１４０には、ソレノイド制御基板（図示せず）が電気的に接続されており、ソレノイド制御基板から出力された駆動信号により球送りソレノイド１４０が駆動される。球送りソレノイド１４０がオン作動すると（通電状態になると）、球送りソレノイド１４０から発生した磁力を受けて、永久磁石１３６が球送りソレノイド１４０に反撥し、球送り部材１３０が球出口閉止位置に揺動する。一方、球送りソレノイド１４０がオフ作動すると（非通電状態になると）、球送りソレノイド１４０からの磁力が消失し、球送り部材１３０が重力の作用により降下して球出口開放位置に揺動
する。
【００４１】
＜発射機構＞
発射機構１５０は、図９に示すように、遊技球を発射する発射機構部１６０と、発射機構部１６０により発射された遊技球を外レール２１（案内通路２４）に案内する発射レール部１７０とを備えて構成される。この発射機構１５０は、図５等に示すように、球送り機構１００の後面側に重なって配設されている。
【００４２】
発射機構部１６０は、盤面とほぼ平行な面内で揺動可能に設けられて遊技球を打ち出すハンマ１６１と、このハンマ１６１を揺動させる発射ソレノイド１６３とを備えている。
【００４３】
発射レール部１７０は、遊技補助盤４０の発射装置取付部４１に取り付けられるベースプレート１７１と、このベースプレート１７１に取り付けられて斜め上方に延びる横断面がＶ字形の発射レール１７３と、発射レール１７３のレール面と対向して設けられ遊技球を発射レール１７３の傾斜下端に位置する打撃位置（発射位置）に留置するガイドホルダ１７５とを備えている。
【００４４】
ベースプレート１７１は、平板状に形成されており、遊技補助盤４０の発射装置取付部４１にビス止め固定される。ベースプレート１７１の前面には、ハンマ１６１を弾性的に受け止める二つのストッパ１６５，１６６が取り付けられている。発射レール１７３は、右下端における遊技球の打球位置から外レール２１と内レール２２との間の案内通路２４に向けて（すなわち外レール２１の下端近傍のレール面よりも上方に向けて）左斜め上方に延びて設けられている。
【００４５】
発射ソレノイド１６３は、ベースプレート１７１の後面側にビス止め固定され、その本体部分がベースプレート１７１の後面側に突出している。発射ソレノイド１６３の可動鉄芯１６４は、ベースプレート１７１に前後貫通された鉄芯挿通孔１７２を通してベースプレート１７１の前面側に達するように構成されており、この可動鉄芯１６４にハンマ１６１が連結されている。このようにして、ハンマ１６１はベースプレート１７１の前面側に取り付けられ、発射ソレノイド１６３の作動により可動鉄芯１６４を揺動軸として、発射レール１７３上にセットされた遊技球を打球可能な打球位置と、該打球位置から右下方に退避した待機位置との間で揺動可能に構成される。すなわち、ハンマ１６１は、右方の待機位置から左方の打球位置への揺動により遊技球を遊技領域ＰＡに向けて発射可能となっている。具体的には、発射ソレノイド１６３がオン作動すると（通電状態になると）、発射ソレノイド１６３の駆動力を受けてハンマ１６１が待機位置から打球位置へ揺動し、発射ソレノイド１６３がオフ作動すると（非通電状態になると）、ハンマ１６１が重力の作用を受けて打球位置から待機位置へ揺動する。
【００４６】
＜発射制御基板＞
発射制御基板１８０は、矩形板状のプリント配線板を基板とし、このプリント配線板に各種の電気・電子部品が実行されて発射制御回路が形成されている。この発射制御基板１８０は、発射ハンドル９（具体的には該ハンドル内に装備されたポテンショメータやタッチセンサなど）と電気的に接続されており、遊技者による発射ハンドル９の回動操作量に応じた操作信号に基づき、発射ソレノイド１６３の作動を制御する。発射制御基板１８０は、無色透明の樹脂材料を用いて矩形箱状に形成された発射基板ケースに収容保持された状態で遊技補助盤４０の発射装置取付部４１にビス止め固定される。
【００４７】
＜ファール球回収機構＞
ファール球回収機構２００は、図１２〜図１７に示すように、遊技補助盤４０に着脱される補助盤カバー２１０と、補助盤カバー２１０に設けられて一方向にのみ遊技球の通過
を許容する上下の逆止弁２５０，２７０と、補助盤カバー２１０の上端部に設けられた切断部材２９０とを主体に構成されている。
【００４８】
補助盤カバー２１０は、無色透明の樹脂材料を用いて全体として後面開放の矩形箱状に形成されている。この補助盤カバー２１０は、前面側に配置される基壁２１１と、この基壁２１１の周縁から後方に向けて立設される上下左右の側壁２１２，２１３，２１４，２１５とを備えている。補助盤カバー２１０の後面側には、該カバー内における通路部分（後述の発射通路２３０及びファール球通路２４０，２６０）を区画するための仕切壁２２０が設けられている。この補助盤カバー２１０は、複数本のビス（図示せず）を用いて、遊技補助盤４０の補助盤カバー取付部４２に着脱可能に取り付けられ、発射機構１５０（発射レール１７３）の上端と遊技盤２０（案内通路２４）の下端との間に配設される。
【００４９】
補助盤カバー２１０の上側の側壁２１２には、案内通路２４の下端と略上下に対向する上端開口２１６が貫通形成されている。補助盤カバー２１０の右側の側壁２１５には、発射レール１７３の上端部に近接して、発射機構１５０により打ち出された遊技球を通過させる発射ガイド口２１７が形成されている。補助盤カバー２１０の下側の側壁２１３には、下方に開口した球排出口２１８を有する上側ダクト２１９が形成されている。この球排出口２１８は、補助盤カバー取付部４２に揺動自在に設けられた開閉弁４６により開閉可能に構成されている。
【００５０】
補助盤カバー２１０には、右側方の発射ガイド口２１７と上方の上端開口２１６とを繋いで右斜め上方に傾斜して延びる発射通路２３０が形成されており、発射機構１５０により打ち出された遊技球が発射通路２３０を通過可能に構成されている。なお、この発射通路２３０は、発射機構１５０の発射レール１７３と略平行に設けられている。
【００５１】
また、補助盤カバー２１０には、二つのファール球通路、具体的には、案内通路２４から戻ってきて上端開口２１６に落入した遊技球を球排出口２１８へ導くための上側ファール球通路２４０と、発射通路２３０を越えられずに戻ってきた遊技球を球排出口２１８へ導くための下側ファール球通路２６０とが設けられている。各ファール球通路２４０，２６０は、遊技球が１球通過できる通路幅（遊技球１個分の直径よりも広く且つ遊技球２個分の直径よりも狭い通路幅）に形成されている。
【００５２】
上側ファール球通路２４０は、上端開口２１６に連通して左右方向に延びる第１通路２４１と、第１通路２４１に繋がり前後方向に延びる第２通路２４２とを有して、全体として略Ｌ字状に屈曲した通路として構成されている。第１通路２４１の下面をなす第１上側傾斜面２４１ａと、第２通路２４２の下面をなす第２上側傾斜面２４２ａとは、互いに連続的に繋がり、且つ、上流側から下流側に向けて下り傾斜しており、これらの傾斜面２４１ａ，２４２ａに沿って遊技球（ファール球）が流下可能となっている。なお、第１傾斜面２４１ａは、図７に示すように、仕切壁２２０に形成された前側傾斜面２２１と補助盤カバー取付部４２に形成された後側傾斜面４３とが略面一状態となるよう前後に組み合わされて構成されており、これらが一体となって第２上側傾斜面２４２ａに繋がっている。そして、第１通路２４１と第２通路２４２との接続部分に、遊技球の逆流方向の通過を防止するための逆止弁２５０が取り付けられている。
【００５３】
逆止弁２５０は、上側ファール球通路２４０（第２通路２４２）を閉鎖可能な大きさの扉形に形成され、上側の側壁２１２に設けられた支軸部２５１を中心として上下に揺動自在に枢結されている。逆止弁２５０は、通常時には、上側ファール球通路２４０内において自重により垂下して上側ファール球通路２４０を閉鎖する中立姿勢（略垂直姿勢）に保持されている。ここで、上側ファール球通路２４０の閉鎖とは、該ファール球通路２４０を完全に閉鎖する意味に限定されず、遊技球の逆戻りを妨げる程度の閉鎖状態を含む概念
で用いている。このとき、上側の側壁２１２には、支軸部２５１よりも右側に位置して中立姿勢（略垂直姿勢）にある逆止弁２５０の上端部と左右方向に近接して対峙する制止壁２１２ａが設けられている。そのため、逆止弁２５０は、中立姿勢から左方（下流方向）への揺動は許容されるが、中立姿勢から右方（上流方向）への揺動は制止壁２１２ａに当接して規制される。従って、遊技球が上流側の第１通路２４１から下流側の第２通路２４２へ流下する場合は、逆止弁２５０が中立姿勢から下流側に向けて揺動することで、遊技球の通過（正流方向の通過）が許容される。一方、遊技球が下流側の第２通路２４２から上流側の第１通路２４１へ逆流する場合は、逆止弁２５０が制止壁２１２ａに当接して中立姿勢に保持されることで、遊技球の通過（逆流方向の通過）が規制される。
【００５４】
上側ファール球通路２４０（第２通路２４２）は、図７に示すように、補助盤カバー取付部４２の前面側に形成された排出通路４４と前後に連通している。この排出通路４４は、略鉛直方向に延びており、その下端において上側ダクト２１９と前後に連通している。この上側ダクト２１９の球排出口２１８は、前述したように、補助盤カバー取付部４２に設けられた開閉弁４６により開閉可能に構成されている。具体的に、ガラス枠５が開放されているときは、開閉弁４６が不図示のバネにて前方に付勢されて球排出口２１８は閉止され、ガラス枠５が開放されているときは、ガラス枠５の背面に突出して設けられた下側ダクト（図示せず）により開閉弁４６が後方に押圧されて球排出口２１８が開放される。球排出口２１８が開放されている状態では、この球排出口２１８から下方に排出された遊技球は下側ダクト内に落入するようになっている。下側ダクトは、ガラス枠５に表裏貫通して形成された下球皿通路（図示せず）に連通している。そのため、下側ダクトに落入した遊技球は、ガラス枠５の後面側から前面側へ通過して、該ガラス枠５の前面側に設けられた下球皿７に供給されるようになっている。このように上端開口２１６に落入した遊技球（ファール球）は、上側ファール球通路２４０→排出通路４４→上側ダクト２１９→下側ダクト（図示せず）→下球皿通路（図示せず）→下球皿７といった順に、機内に形成された各流路を流下する。
【００５５】
一方、下側ファール球通路２６０は、発射通路２３０の下端部に連通しており、該発射通路２３０の下端部から左方に延びて上側ダクト２１９の球排出口２１８に連通している。下側ファール球通路２６０の下面をなす下側傾斜面２６１は、発射通路２３０の下端部から上側ダクト２１９に向けて下り傾斜しており、発射通路２３０を越えずに流下した遊技球（ファール球）を上側ダクト２１９に誘導するようになっている。このように、発射通路２３０から戻ってきた遊技球（ファール球）は、下側ファール球通路２６０→上側ダクト２１９→下側ダクト（図示せず）→下球皿通路（図示せず）→下球皿７といった順に、機内に設けられた各流路を流下する。
【００５６】
下側ファール球通路２６０の途中には、遊技球の逆流方向の通過を防止するための逆止弁２７０が取り付けられている。逆止弁２７０は、通常時には下側ファール球通路２６０内にて自重により垂下して該ファール球通路２６０を閉鎖する中立姿勢（略垂直姿勢）に保持されている。ここで、下側ファール球通路２６０の閉鎖とは、該ファール球通路２６０を完全に閉鎖する意味に限定されず、遊技球の逆戻りを妨げる程度の閉鎖状態を含む概念で用いている。図１８に示すように、逆止弁２７０の上端部には板幅方向（前後方向）に突出する一対の軸部２７１が形成されており、この一対の軸部２７１が仕切壁２２０にビス止め固定される弁取付部材２８０と該弁取付部材２８０の前面側に着脱可能に取り付けられる弁蓋部材２８１とに跨って枢結されることで、該逆止弁２７０が軸部２７１を中心として垂直面内で揺動自在に構成されている。弁蓋部材２８１の内面には、逆止弁２７０よりも右側に位置するとともに中立姿勢にある逆止弁２７０の上端部と左右方向に近接して対峙する制止突起（図示せず）が設けられている。そのため、逆止弁２７０は、中立姿勢から左方（下流方向）への揺動は許容されるが、中立姿勢から右方（上流方向）への揺動は不図示の制止突起に当接して規制される。従って、遊技球が下側ファール球通路２
６０を上流側から下流側へ流下する場合は、該逆止弁２７０が中立姿勢から下流側に向けて揺動することで、遊技球の通過（正流方向の通過）が許容される。一方、遊技球が下側ファール球通路２６０を下流側から上流側へ逆流する場合は、該逆止弁２７０が制止突起に当接して中立姿勢に保持されることで、遊技球の通過（逆流方向の通過）が規制される。
【００５７】
切断部材２９０は、補助盤カバー２１０の上側の側壁２１２に形成された固定部２１２ｂに不図示のビスを用いて着脱可能に取り付けられている。切断部材２９０は、例えば帯板状の金属平板にプレス加工（打ち抜き可能や曲げ加工など）を施して図１９等に示す所定形状に形成されている。切断部材２９０は、補助盤カバー２１０の上端開口２１６の近傍に配置された切断刃部２９１と、切断刃部２９１の後端縁から立設された支持片部２９５とを備えて形成される。切断刃部２９１は、上下に重ね合わされて形成された上側刃部２９２と下側刃部２９３とからなり、上側刃部２９２と下側刃部２９３との間にＶ字状の切り込み２９４が形成されており、この切り込み２９４に沿った縁部が鋭利な刃状に形成されることで、該切り込み２９４に入り込んだ線材Ｌ（食い込んだ線材Ｌ）に接触してこれを切断可能に構成されている。支持片部２９５には、切断部材２９０を補助盤カバー２１０の固定部２１２ｂにビス止めするための円孔２９６が開設されている。切断部材２９０は、図１５に示すように、切断刃部２９１の切り込み２９４を上端開口２１６側に向けて取り付けられており、平面視にて該切り込み２９４が上側ファール球通路２４０の幅方向（前後方向）の中心線上の近傍に配置されている。
【００５８】
［Ｂ．内レールに適用された不正防止構造］
次に、図２０〜図２６を追加参照して、内レール２２に適用された不正防止構造について説明する。
【００５９】
＜内レール＞
内レール２２は、該レール２２の基体となる内レール本体３００と、内レール本体３００に着脱可能に取り付けられる押さえ部材３４０と、内レール本体３００と押さえ部材３４０との間に挟持される切断部材３５０とを備えて構成される。
【００６０】
内レール本体３００は、外レール２１側に凸を向けて円弧状に湾曲する帯板状の内レール部３０１と、内レール部３０１の後縁部に沿って設けられたレール支持部３２０と、内レール部３０１の下端に設けられてアウト口２９を形成するアウト口形成部３３０とを備えている。内レール本体３００の上端部には、前述の逆戻り防止弁２５（図３を参照）が装着される。
【００６１】
内レール部３０１の上下方向の略中央には、該内レール部３０１のレール面３０２から右側方（遊技領域ＰＡ側）に向けて凹設されて溝状に開放する凹部３１０が形成されており、この凹部３１０内に不正防止具としての切断部材３５０が着脱可能に取り付けられる。凹部３１０は、該凹部３１０の長手方向の両端から中央に向かうほど深くなるように形成されている。この凹部３１０の底面をなす基底部３１１は略「く」の字形に屈曲しており、その最深部の近傍には切断部材３５０の裏面側を支持するための凸状の支持部３１２が形成されている。基底部３１１の後端側には、上下に一対の係合溝３１３がそれぞれ凹設されている。また、凹部３１０の前壁面には、切断部材３５０の前端部を嵌挿するための支持溝３１４が形成されるとともに、切断部材３５０の前端部の表裏面をそれぞれ支持するための表面側突部３１５及び裏面側突部３１６が形成されている。支持部３１２の近傍には、中心にネジ孔（図示せず）を有した円筒状のネジボス３１７が形成されている。
【００６２】
レール支持部３２０は、内レール部３０１の後端縁に沿って円弧状に湾曲しており、上下方向の略中央部（凹部３１０と整合する位置）には押さえ部材３４０を装着するための
空部３２１が形成されている。そのため、レール支持部３２０は、空部３２１が形成されている区間内において前後に抜けている。レール支持部３２０の後面側には、遊技盤２０に前面側に嵌挿される複数の位置決めピン３２２，３２３が突出形成されている。
【００６３】
押さえ部材３４０は、レール支持部３２０の空部３２１に対応する形状に形成されており、この空部３２１に装着されてレール支持部３２０の一部分を構成する。このようにレール支持部３２０は空部３２１が形成された区間において途切れているが、押さえ部材３４０を空部３２１に装着することで、レール支持部３２０と押さえ部材３４０とがレールの延伸方向に沿って連続的に繋がるように構成されている。押さえ部材３４０の上端及び下端には、内レール本体３００の係合溝３１３に係合される係合突起３４１がそれぞれ形成されている。押さえ部材３４０の前面側には、内レール本体３００の基底部３１１の後面側を挿入するための収容部３４２が凹設されている。この収容部３４２には、基底部３１１の後面側のみではなく、切断部材３５０の後端部も挿入されるようになっており、これにより切断部材３５０の両側部（前端部、後端部）が内レール本体３００及び押さえ部材３４０により前後から挟持されることになる。収容部３４２には、前後に貫通する挿通孔３４３が形成されており、この挿通孔３４３に不図示のビスを挿入して内レール本体３０１のネジボス３１７に螺着させることで、押さえ部材３４０が内レール本体３００にビス止め固定される。また、押さえ部材３４０の後面側には、遊技盤２０の前面側に嵌挿される位置決めピン３４４が突出形成されている。
【００６４】
切断部材３５０は、例えば帯板状の金属平板にプレス加工（打ち抜き可能や曲げ加工など）を施して図２１等に示す所定形状に形成されている。切断部材３５０は、内レール本体３００の凹部３１０内において、先端部が左斜め上方に指向した傾斜姿勢で取り付けられている。切断部材３５０は、その先端側に鋭利な刃先を有した三つの刃部として、中央刃部３５１、前側刃部３５２及び後側刃部３５３を有している。切断部材３５０には、各刃部３５１〜３５３の間に短手方向（略上下方向）に延びる２カ所の切り込み３５４が形成されており、この２カ所の切り込み３５４に挟まれた中央刃部３５１が案内通路２４側へ向けて斜めに折り曲げられることで、線材Ｌを捕捉しやすい構造となっている。各切り込み３５４は奥にいくほど開き間隔が狭くなる略Ｖ字状に形成されており、この切り込み３５４に沿った縁部が鋭利な刃状に形成されることで、該切り込み３５４に入り込んだ線材Ｌ（食い込んだ線材Ｌ）にせん断力が作用してこれを切断可能に構成されている。なお、中央刃部３５１の先端は、上方に凸を向けた緩やかな円弧状（山型）に形成されており、この円弧面の作用によって、切断部材３５０に引っ掛かった線材Ｌを切り込み３５４へと誘導するように構成されている。
【００６５】
切断部材３５０は、図２３及び図２４等に示すように、内レール部３０１のレール面３０２よりも外方（案内通路２４側）へ突出することなく、その全体が凹部３１０内に完全に収容された状態で固定されている。それにより、発射機構１５０により打ち出されて案内通路２４内を通過する遊技球に切断部材３５０が接触して、遊技球の飛翔を妨げるおそれがない。ここで、図２４に示すように、凹部３１０（基底部３１１）の最上端Ｘと最下端Ｙとを直線的に繋ぐ仮想線Ｋを考える。この仮想線Ｋは凹部３１０の最上端Ｘと最下端Ｙとの間を最短距離で繋ぐ直線であるため、最上端Ｘと最下端Ｙとの間を外側（左方）に凸を向けて円弧状に繋ぐレール面３０２よりも内側（右方）に位置することになる。このとき、切断部材３５０は、凹部３１０内において仮想線Ｌと交差する位置関係で配置されている。より具体的には、図２４に示す縦断面視において、切断部材３４０の三つの刃部３５１〜３５３がレール面３０２よりも内側であって仮想線Ｋよりも外側に配置された位置関係（好適には切り込み３５４が仮想線Ｋと交差する位置関係）となっている。そのため、この仮想線Ｋを釣糸等の線材Ｌに見立てた場合、該線材Ｌは切断部材３５０に接触して（切り込み３５４内に食い込んで）切断されるものといえる。従って、切断部材３５０をレール面３０２よりもはみ出さずに凹部３１０内に収容しながらも線材Ｌに対して接触
可能（切断可能）に構成されている。
【００６６】
［不正防止構造の特徴的作用］
次に、本実施形態の理解を容易にするため、ぱちんこ遊技機ＰＭに備えられた不正防止構造の作用について図２７〜図２９を追加参照して説明する。
【００６７】
まず、通常の遊技において、上球皿６に貯留された遊技球は、球送り機構１００により１球ずつ発射機構１５０（発射レール１７３上の打球位置）に送り出され、この発射機構１５０から遊技領域ＰＡへ向けて打ち出される。発射機構１５０により打ち出された遊技球は、補助盤カバー２１０に形成された発射通路２３０を通過した後、外レール２１に沿って案内通路２４を通過して遊技領域ＰＡ内に放出され、この遊技領域ＰＡ内を重力の作用を受けて流下する。このとき、内レール２２に設けられた切断部材３５０は、内レール２２の凹部３１０内においてレール面３０２よりも内側に配設されているため（案内通路２４に突出していないため）、案内通路２４を通過する遊技球が切断部材３５０に接触することはなく、遊技球の飛翔を妨害するおそれはない。
【００６８】
一方、不正行為者が線材Ｌの付いた遊技球（不正球）Ｂを上球皿６に投入して、上記と同様にして、該不正球Ｂが発射機構１５０により打ち出されて遊技領域ＰＡ内に放出されると、該不正球Ｂは重力の作用を受けて遊技領域ＰＡ内を流下する一方で、該不正球Ｂから延びる線材Ｌは球戻り防止弁２５或いは遊技釘などに引掛けられ、そこに繋留された状態となる。図２７に示すように、この状態から不正行為者が線材Ｌを操作すると、案内通路２４内に通されている線材Ｌは、遊技者に引っ張られる張力により内レール２２側に引き寄せられる。この内レール２２の略中央部には凹部３１０が形成されており、内レール２２側に引き寄せられた線材Ｌは凹部３１０内に入り込む。本実施形態では、内レール２２の略中央部（最も左方外方に突き出た部分）に凹部３１０を配置しているため、線材Ｌを引っ張ったときに、該線材Ｌが凹部３１０内に寄り易くなるように構成されている。ここで、凹部３１０内には切断部材３５０が取り付けられており、凹部３１０内に入り込んだ線材Ｌは切断部材３５０の刃部３５１〜３５３（切り込み３５４）に接触する。そして、不正行為者が不正球Ｂを操作すべく線材Ｌを引っ張ったり送り込んだりすると、その線材Ｌが切り込み３５４内に食い込んで切断されるため、不正球Ｂから線材Ｌを分断して不正な操作を抑止することができる（該線材Ｌを切り込み３５４内に挟み込んで該線材Ｌの移動を拘束するものでもよい）。
【００６９】
ここで近年では、このような不正行為を防止すべく、球送り機構１００に不正防止具（切断部材）を取り付けて、不正球Ｂを球送り機構１００から発射機構１５０へ送り出す際に、不正球Ｂに付けられた線材Ｌを切断する技術も実用化されつつある（後述の第３変形例を参照）。しかしながら、不正行為者は、それに対抗するため、不正球Ｂを上球皿６ではなく下球皿７から機内に侵入させて、不正球Ｂに付けた線材Ｌ（その場合には例えばストローやチューブといったある程度の剛性を有する線材）を操作することで、この不正球Ｂを球送り機構１００を介さずにファール球通路２４０，２６０から直接、発射機構１５０（発射レール１７３上の打球位置）に送り込む事例も見つかっている。そこで、そのような不具合を是正すべく、本実施形態では、不正球をファール球通路２４０，２６０において逆流させる（下流側から上流側へ通過させる）のを防止するための上下の逆止弁２５０，２７０が設けられている。
【００７０】
具体的に、図２８に示すように、不正行為者が不正球Ｂに付けられた線材Ｌを操作して、上側ファール球通路２４０内において不正球Ｂを逆止弁２５０に下流側から押し当てて上流側に開放させようとしても、逆止弁２５０は制止壁２１２ａに当接して上流側への開放が規制される（中立姿勢に保持される）ため、該不正球Ｂを上側ファール球通路２４０から発射機構１５０へ送り込むことはできず、線材Ｌを用いた不正な操作を抑止すること
ができる。
【００７１】
同様に、図２８に示すように、不正行為者が不正球Ｂに付けられた線材Ｌを操作して、下側フェール球通路２６０内において不正球Ｂを逆止弁２７０に下流側から押し当てて上流側に開放させようとしても、逆止弁２７０は制止突起（図示せず）に当接して上流側への開放が規制される（中立姿勢に保持される）ため、該不正球Ｂを下側ファール球通路２６０から発射機構１５０へ送り込むことはできず、線材Ｌを用いた不正な操作を抑止することができる。
【００７２】
ここで、万が一、何らかの巧妙な手口により逆止弁２５０がこじ開けられ（例えば針金やピアノ線によりこじ開けられ）、不正球Ｂが発射機構１５０に送り込まれてしまった場合を考える。その場合に、該不正球Ｂが発射機構１５０により遊技領域ＰＡへ向けて打ち出されると、図２９に示すように、該不正球Ｂに付けられた線材Ｌは、下球皿７〜上側ダクト２１９〜上側ファール球通路２４０〜案内通路２４（遊技領域ＰＡ）へ通された状態となる。この状態から不正行為者が線材Ｌを操作すると、補助盤カバー２１０の上端開口２１６に通されている線材Ｌは、遊技者に引っ張られる張力により上端開口２１６の左端側（切断部材２９０側）に引き寄せられ、この開口端に配置されている切断部材２９０に接触する。そして、不正行為者が不正球Ｂを操作すべく線材Ｌを引っ張ったり送り込んだりすると、この線材Ｌが切断部材２９０の切り込み２９４内に食い込んで切断されるため、不正球Ｂから線材Ｌを分断して不正な操作を抑止することができる（該線材Ｌを切り込み２９４内に挟み込んで該線材Ｌの移動を拘束するものでもよい）。
【００７３】
以上、本実施形態によれば、線材Ｌの付いた不正球Ｂを遊技領域ＰＡ内に打ち出して、この線材Ｌを機外から操作すると、その張力により線材Ｌが内レール２２の凹部３１０内に引き寄せられて切断部材１５０に接触して切断されるため、線材Ｌの付いた不正球Ｂを操作して連続入賞を検出させる不正入賞行為を効果的に抑止することができ、ひいては不正入賞行為による損害の発生を未然に防止することが可能になる。
【００７４】
また、本実施形態によれば、線材Ｌの付いた不正球Ｂを下球皿７から逆流させて機内のファール球通路２４０，２６０を経て発射機構１５０へ到達させようとしても、このファール球通路２４０，２６０の途中に遊技球の逆流方向の通過を規制する逆止弁２５０，２７０を設けたことにより、ファール球通路２４０，２６０内において不正球Ｂの移動が拘束されるため、線材Ｌの付いた不正球Ｂを操作して連続入賞を検出させる不正入賞行為を効果的に抑止することができ、ひいては不正入賞行為による損害の発生を未然に防止することが可能になる。
【００７５】
［第１変形例］
次に、本実施形態の第１変形例に係る遊技機について説明する。この第１変形例に係る遊技機は、基本的には、上述の本実施形態の遊技機と同様の構成を有しており、以下、同様の構成を有する部分には同一の符号を付して説明を省略し、主に異なる部分について説明する。
【００７６】
上述の本実施形態に係る遊技機はいわゆる「斜め発射」と称される発射方式を採用しているが、第１変形例に係る遊技機はいわゆる「垂直発射」と称される発射方式を採用している。このような発射方式の差異により、第１変形例の内レール１０２２は、本実施形態の内レール２２とは構成が相違する。以下、図３０〜図３６を追加参照して、本変形例の内レール１０２２について説明する。
【００７７】
内レール１０２２は、該レール１０２２の基体となる内レール本体１３００と、内レール本体１３００に着脱可能に取り付けられる押さえ部材１３４０と、内レール本体１３０
０と押さえ部材１３４０との間に挟持される切断部材１３５０と、内レール本体１３００の裏面側（遊技領域ＰＡ側の側面）に取り付けられる金属製のレール補強部材１３９０とを備えて構成される。
【００７８】
内レール本体１３００は、外レール２１側に凸を向けて円弧状に湾曲する帯板状の内レール部１３０１と、内レール部１３０１の後縁部に沿って設けられたレール支持部１３２０と、内レール部１３０１の前縁部に沿って設けられたレール側壁部１３３０とを備えている。
【００７９】
内レール部１３０１には、該内レール部１３０１のレール面１３０２から右側方（遊技領域ＰＡ側）に向けて凹設されて溝状に開放する凹部１３１０が形成されており、この凹部１３１０内に不正防止具としての切断部材１３５０が着脱可能に取り付けられる。凹部１３１０は、押さえ部材１３４０の内溝部１３４９と組み合わされて該レールの長手方向に沿って延びる長穴状に形成されており、この凹部１３１０の底面をなす基底部１３１１には切断部材１３５０の裏面側を支持するための凸状の支持部１３１２が形成されている。凹部１３１０の前壁面には、押さえ部材１３４０の上下の係合板１３４１がそれぞれ係合される係合溝１３１３が凹設されている。また、凹部１３１０の前壁面には、切断部材１３５０の前端部を嵌挿するための支持溝１３１４が形成されるとともに、切断部材１３５０の前端部の表面側を支持するための突部１３１５が形成されている。また、基底部１３１１には、支持部１３１２の上方及び下方に位置して、中心にネジ孔（図示せず）を有した円筒状のネジボス１３１７がそれぞれ形成されている。
【００８０】
レール支持部１３２０は、内レール部１３０１の後端縁に沿って円弧状に湾曲しており、凹部１３１０と整合する位置には押さえ部材１３４０を装着するための空部１３２１が形成されている。そのため、レール支持部１３２０は、空部１３２１が形成されている区間内において前後に抜けている。レール支持部１３２０の後面側には、遊技盤２０の前面側に嵌挿される複数の位置決めピン１３２２が突出形成されている。
【００８１】
押さえ部材１３４０は、レール支持部１３２０の空部１３２１に対応する形状に形成されており、この空部１３２１に装着されてレール支持部１３２０の一部分を構成する。このようにレール支持部１３２０は空部１３２１が形成された区間において途切れているが、押さえ部材１３４０を空部１３２１に装着することで、レール支持部１３２０と押さえ部材１３４０とがレールの延伸方向に沿って連続的に繋がるように構成されている。押さえ部材１３４０の上下には、内レール本体１３００の係合溝１３１３に係合される円弧状に湾曲した帯板状の係合板部１３４１が設けられている。押さえ部材１３４０の前面側において、上下の係合板部１３４１の間には、切断部材１３５０の後端部を嵌挿するための支持溝１３４２が凹設されており、それにより切断部材１３５０の両側部（前端部、後端部）がレール本体１３００（支持溝１３１４）と押さえ部材１３４０（支持溝１３４２）とにより前後から挟持されることになる。また、押さえ部材１３４０の前面側には、内レール本体１３００のネジボス１３１７，１３１８を嵌挿するための挿通孔１３４３が凹設されており、この挿通孔１３４３に不図示のビスを挿入して内レール本体１３０１のネジボス１３１７に螺着させることで、押さえ部材１３４０が内レール本体１３００にビス止め固定される。また、押さえ部材１３４０の後面側には、遊技盤２０の前面側に嵌挿される位置決めピン１３４４が突出形成されている。
【００８２】
切断部材１３５０は、例えば帯板状の金属平板にプレス加工（打ち抜き可能や曲げ加工など）を施して図３３等に示す所定形状に形成されている。切断部材１３５０は、内レール本体１３００の凹部１３１０内において、先端部が左斜め上方に指向した傾斜姿勢で取り付けられている。切断部材１３５０は、その先端側に先細り形状となる五つの刃状突起１３５１〜１３５５が形成されており、その内の二つの刃状突起１３５２，１３５４が案
内通路２４側に折り曲げられて、隣り合う刃状突起１３５１〜１３５５同士が板厚方向に所定角度だけ相互にずらされることで、線材Ｌを捕捉しやすい構造となっている。互いに隣り合う刃状突起１３５１〜１３５５の間には、略上下方向に延びる複数の切り込み１３５６が形成される。各切り込み１３５６は奥にいくほど開き間隔が狭くなる略Ｖ字状に形成されており、この切り込み１３５６に沿った縁部が鋭利な刃状に形成されることで、該切り込み１３５６に入り込んだ線材Ｌ（食い込んだ線材Ｌ）にせん断力が作用してこれを切断可能に構成されている。また、切断部材１３５０の後端側には、右方に向けてＬ字状に折り曲げられた支持片部１３５８が形成されており、この支持片部１３５９が押さえ部材１３４０の支持溝１３４２に嵌挿されるようになっている。
【００８３】
切断部材３５０は、図３５及び図３６等に示すように、内レール部１３０１のレール面１３０２よりも外方（案内通路２４側）へ突出することなく、その全体が凹部１３１０内に完全に収容された状態で取り付けられている。それにより、発射機構１５０により打ち出されて案内通路２４内を通過する遊技球に切断部材１３５０が接触して、遊技球の飛翔を妨げるおそれがない。
【００８４】
ここで、本変形例の内レール１０２２は、図３０等に示すように、遊技球の着弾位置の近傍（レールの中央よりも上寄りの位置）を境として曲率が相違している。具体的に、この内レール１０２２の下部から遊技球の着弾位置の近傍までは曲率半径が相対的に大きく設定（緩やかな曲率半径に設定）され、それよりも上部では曲率半径が相対的に小さく設定されている（曲率半径が徐々に小さくなっている）。その理由としては、前述の垂直発射方式により遊技球は垂直に近い方向に発射されるので、それに対応して着弾位置までの曲率を緩やかに（遊技球の飛翔角度との差異を小さく）設定する一方で、それよりも上部では曲率半径を徐々に減少させて（勾配を大きくして）、案内通路２４の出口に近づくにつれて遊技球の移動方向を遊技領域ＰＡ側に向けて方向転換させるためである。そして、凹部１３１０内において内レール本体１３００における曲率半径が小さく形成された部位に切断部材１３５０が配設されている。このように、内レール本体１３００における曲率半径が小さく形成された部分（曲率半径が急な部分）に切断部材１３５０を配置しているため、不正球Ｂに付けられた線材Ｌを操作したときに、この線材Ｌが切断部材１３５０に食い込み易くなっている（線材Ｌが凹部１３１０内に入り込みやすくなっている）。従って、切断部材１３５０をレール面１３０２よりもはみ出さずに凹部１３１０内に収容しながらも線材Ｌに対して接触可能（切断可能）に構成されている。
【００８５】
以上、第１変形例によれば、線材Ｌの付いた不正球Ｂを遊技領域ＰＡ内に打ち出して、この線材Ｌを機外から操作すると、その張力により線材Ｌが内レール１０２２の凹部１３１０内に引き寄せられて切断部材１３５０に接触して切断されるため、線材Ｌの付いた不正球Ｂを操作して連続入賞を検出させる不正入賞行為を効果的に抑止することができ、ひいては不正入賞行為による損害の発生を未然に防止することが可能になる。
【００８６】
［第２変形例］
次に、本実施形態の第２変形例に係る遊技機について説明する。この第２変形例に係る遊技機は、基本的には、上述の本実施形態の遊技機と同様の構成を有しており、以下、同様の構成を有する部分には同一の符号を付して説明を省略し、主に異なる部分について説明する。
【００８７】
上述の本実施形態では、上側ファール球通路２４０に設けられた逆止弁２５０が単一の弁部材から構成されていたが、第２変形例では、図３７及び図３８に示すように、上側ファール球通路２４０に設けられた逆止弁１２５０が互いに独立した複数の弁部材（具体的には４枚の弁部材）１２５１〜１２５４から構成されている。
【００８８】
逆止弁１２５０は、第１弁部材１２５１、第２弁部材１２５２、第３弁部材１２５３及び第４弁部材１２５４を備えて構成され、全体として上側ファール球通路２４０（第２通路２４２）を閉鎖可能な大きさの扉形に形成されている。各弁部材１２５１〜１２５４は、上側の側壁２１２に設けられた支軸部１２５５を中心として互いに独立して上下に揺動自在に枢結されている。各弁部材１２５１〜１２５４は、通常時には、上側ファール球通路２４０内において自重により垂下して上側ファール球通路２４０を閉鎖する中立姿勢（略垂直姿勢）に保持されている。ここで、上側ファール球通路２４０の閉鎖とは、該ファール球通路２４０を完全に閉鎖する意味に限定されず、遊技球の逆戻りを妨げる程度の閉鎖状態を含む概念で用いている。
【００８９】
上側の側壁２１２には、中立姿勢（略垂直姿勢）にある弁部材１２５１〜１２５４の上端部と左右方向に近接して対峙する制止壁（図示せず）が設けられている。そのため、各弁部材１２５１〜１２５４は、中立姿勢から左方（下流方向）への揺動は許容されるが、中立姿勢から右方（上流方向）への揺動は制止壁に当接して規制される。従って、遊技球が上流側の第１通路２４１から下流側の第２通路２４２へ流下する場合は、各弁部材１２５１〜１２５４が中立姿勢から下流側に向けて揺動することで、遊技球の通過（正流方向の通過）が許容される。一方、遊技球が下流側の第２通路２４２から上流側の第１通路２４１へ逆流する場合は、各弁部材１２５１〜１２５４が不図示の制止壁に当接して中立姿勢に保持されることで、遊技球の通過（逆流方向の通過）が規制される。
【００９０】
以上、第２変形例によれば、線材Ｌの付いた不正球Ｂを下球皿７から逆流させて機内のファール球通路２４０を経て発射機構１５０へ到達させようとしても、このファール球通路２４０の途中に遊技球の逆流方向の通過を規制する逆止弁１２５０を設けたことにより、ファール球通路２４０内における不正球Ｂの移動が拘束されるため、線材Ｌの付いた不正球Ｂを操作して連続入賞を検出させる不正入賞行為を効果的に抑止することができ、ひいては不正入賞行為による損害の発生を未然に防止することが可能になる。また、第２変形例では、逆止弁１２５０が互いに独立して揺動することが可能な複数の弁部材１２５１〜１２５４から構成されているため、各弁部材１２５１〜１２５４を同時且つ個別に操作しない限りは（一度に全ての弁部材１２５１〜１２５４を開放させなければ）、不正球Ｂを逆流方向に通過させることができず、不正入賞行為を一層確実に防止することが可能となる。
【００９１】
［第３変形例］
次に、本実施形態の第３変形例に係る遊技機について説明する。この第３変形例に係る遊技機は、基本的には、上述の本実施形態の遊技機と同様の構成を有しており、以下、同様の構成を有する部分には同一の符号を付して説明を省略し、主に異なる部分について説明する。
【００９２】
上述の本実施形態に係る遊技機では、不正入賞行為を防止すべく（不正球Ｂに付けられた線材Ｌを切断又は拘束すべく）、内レール２２及び補助盤カバー２１０に切断部材２９０，３５０が備えられていたが、第３変形例に係る遊技機では、内レール２２及び補助盤カバー２１０の他、球送り機構１００の球出口１２２近傍にも切断部材１２９が備えられている。
【００９３】
図３９に示すように、球送り機構１００における球送り通路１０１の延伸方向は、球出口１２２部分において前後方向に設定されている。従って、球送り機構１００から発射機構１５０（発射レール１７３上の打球位置）への球送り方向は、実質的にみて前後方向とみなすことができる。一方、図９等に示すように、球出口１２２の下流側にある発射レール１７３（図９等を参照）は、打球位置から左斜め上方に向けて延びている。そのため、発射機構１５０による遊技球の発射方向は、実質的にみて左斜め上方向とみなすことがで
きる。このように、球送り機構１００の球通路（球送り通路１０１）と、発射機構１５０の球通路（発射レール１７３）とにおける当該通路方向が切り替わる方向転換部に、より具体的には、球出口１２２の近傍に、球送り機構１００から発射機構１５０へ通された線材Ｌに接触してこれを切断可能な切断部材１２９が設けられている。
【００９４】
切断部材１２９は、例えば帯板状の金属平板にプレス加工（打ち抜き可能や曲げ加工など）を施して図３９に示す所定形状に形成されている。この切断部材１２９は、ガイド部１２５の後面側に固定される基板部１２９ａと、この基板部１２９ａの先端側（右端側）から細溝状に切り込まれたＶ字溝１２９ｂとを備えて形成されている。なお、球出口１２２が形成されたガイド部１２５には、切断部材１２９のＶ字溝１２９ｂと前後に連通するとともに、このＶ字溝１２９ｂよりも左右方向に深く切り込まれた案内溝１２５ａが前後方向に沿って形成されている。そのため、球出口１２２に通された（前後方向に通された）線材Ｌが操作されたときに、この方向転換部において該線材ＬをＶ字溝１２９ｂ及び案内溝１２５ａに跨って食い込ませ、該線材ＬをＶ字溝１２９ｂにより切断可能に構成されている。
【００９５】
以上、第３変形例によれば、球送り機構１００の球通路と発射機構１５０の球通路との間の方向転換部（球出口１２２）に切断部材１２９を配設し、遊技者が線材Ｌを操作すると、この方向転換部（切断部材１２９）に該線材Ｌが食い込んで切断されるため、線材Ｌの付いた不正球Ｂを操作して連続入賞を検出させる不正入賞行為を効果的に抑止することができ、ひいては不正入賞行為による損害の発生を未然に防止することが可能になる。
【００９６】
なお、本発明は、上記実施形態（変形例を含む）に限定されるものではなく、本発明の要旨を逸脱しない範囲であれば適宜改良可能である。
【００９７】
上述の実施形態では、逆止弁２５０，２７０を扉形に形成しているが、この逆止弁２５０，２７０の外縁に刃部を形成してもよい。この構成によれば、線材Ｌがファール球通路２４０，２６０に通されてしまった場合（逆止弁２５０，２７０とファール球通路２４０，２６０との隙間に通されてしまった場合）に、該線材Ｌが操作されると、該線材Ｌが逆止弁２５０，２７０の外縁の刃部に食い込んで切断又は拘束されやすくなる。なお、このような刃部を形成することなく、逆止弁２５０，２７０とファール球通路２４０，２６０との隙間を線材Ｌよりも小さく形成することで、該隙間に線材Ｌを挟み込んで拘束可能にしてもよい。
【００９８】
また、上述の実施形態では、内レール２２の凹部３１０内に線材Ｌを切断可能な切断部材３５０を設けているが、この構成に限定されるものではなく、例えば線材Ｌを挟み込んだり引掛けたりすることで該線材Ｌの移動を拘束可能な拘束部材を設けてもよい。
【符号の説明】
【００９９】
ＰＭ  ぱちんこ遊技機
ＰＡ  遊技領域
１  外枠
２  前枠
５  ガラス枠
６  上球皿
７  下球皿
２０  遊技盤
２１  外レール
２２  内レール
２３  レール飾り
２４  案内通路
４０  遊技補助盤
１００  球送り機構
１５０  発射機構
２００  ファール球回収機構
２１０  補助盤カバー
２４０  上側ファール球通路
２５０  逆止弁
２６０  下側ファール球通路
２７０  逆止弁
３００  内レール本体
３１０  凹部
３４０  押さえ部材
３５０  切断部材
【図１】
2018011715.tif 000003
【図２】
2018011715.tif 000004
【図３】
2018011715.tif 000005
【図４】
2018011715.tif 000006
【図５】
2018011715.tif 000007
【図６】
2018011715.tif 000008
【図７】
2018011715.tif 000009
【図８】
2018011715.tif 000010
【図９】
2018011715.tif 000011
【図１０】
2018011715.tif 000012
【図１１】
2018011715.tif 000013
【図１２】
2018011715.tif 000014
【図１３】
2018011715.tif 000015
【図１４】
2018011715.tif 000016
【図１５】
2018011715.tif 000017
【図１６】
2018011715.tif 000018
【図１７】
2018011715.tif 000019
【図１８】
2018011715.tif 000020
【図１９】
2018011715.tif 000021
【図２０】
2018011715.tif 000022
【図２１】
2018011715.tif 000023
【図２２】
2018011715.tif 000024
【図２３】
2018011715.tif 000025
【図２４】
2018011715.tif 000026
【図２５】
2018011715.tif 000027
【図２６】
2018011715.tif 000028
【図２７】
2018011715.tif 000029
【図２８】
2018011715.tif 000030
【図２９】
2018011715.tif 000031
【図３０】
2018011715.tif 000032
【図３１】
2018011715.tif 000033
【図３２】
2018011715.tif 000034
【図３３】
2018011715.tif 000035
【図３４】
2018011715.tif 000036
【図３５】
2018011715.tif 000037
【図３６】
2018011715.tif 000038
【図３７】
2018011715.tif 000039
【図３８】
2018011715.tif 000040
【図３９】
2018011715.tif 000041